(57)【要約】【課題】  プルプリントシステムにおいて、印刷ジョブが指定プリンターで印刷できない場合に、十分なパネル表示機能のない低機能プリンターではその理由がわからない。また理由情報を一律印刷すると、パネル表示機能のある高機能プリンターでは紙の無駄になる。理由提示方法はプリンター確定後に決める必要があるが、一般にプリンターの構成情報取得ではパネルの有無に関する情報はない。【解決手段】  構成情報の特定の項目が有効であるかをチェックすることで高機能プリンターか低機能プリンターかを判断し、高機能プリンターならパネル有り、低機能プリンターならパネル無しと判断し、理由提示としてパネル表示と印刷のいずれを用いるか決定する。【選択図】  図６
2013210860.tif 000002
【特許請求の範囲】
【請求項１】
ネットワーク上に複数の通信可能なプリンターが接続されているプルプリントシステムにおいて、
アプリケーションから印刷した印刷ジョブを、ユーザーＩＤと印刷設定を紐付けて溜め置きする印刷ジョブ保存手段（Ｓ６１３）と、
プリンターからの印刷要求に応じて前記溜め置きされた印刷ジョブの中から前記ユーザーＩＤに合致するジョブとその印刷設定を取り出す印刷ジョブ取出手段（Ｓ６２４）と、
出力プリンター確定後にその構成情報を取得し、ジョブ毎に設定された印刷設定と比較し、印刷可能であるかを判断する印刷可否判断手段（Ｓ６２６）と、
前記印刷可否判断手段にて印刷可能と判断された場合に、前記出力プリンターに出力する印刷ジョブ出力手段（Ｓ６３２）と、
前記印刷可否判断手段にて印刷不可と判断された場合に、前記プリンターの構成情報から表示パネルの有無を判断するパネル有無判断手段（Ｓ６４３）と、
前記パネル有無判断手段にてパネル無しと判断した場合に、印刷できなかった理由を示すジョブを作成し、前記出力プリンターに出力する理由ジョブ出力手段（Ｓ６４４、Ｓ６４５）と、
を有することを特徴とするプルプリントシステム。
【請求項２】
前記パネル有無判断手段は、ユーザーが選択した項目に関してプリンターがサポートしているかどうかを判断し（Ｓ７０１−７０９）、すべてサポートしていればパネル有り、ひとつでもサポートしていなければパネル無しと判断すること、を特徴とする請求項１に記載のプルプリントシステム。
【請求項３】
前記パネル有無判断手段は、特定の項目に関してプリンターがサポートしているかどうかを自動判断し（Ｓ８０１−Ｓ８０３）、すべてサポートしていればパネル有り、ひとつでもサポートしていなければパネル無しと判断すること、を特徴とする請求項１に記載のプルプリントシステム。
【発明の詳細な説明】
【技術分野】
【０００１】
本発明は印刷システム、特に出力プリンターを決めずに印刷ジョブをいったん溜め置き、出力プリンターを決めたらそこから印刷要求を発行することで所望のプリンターへ印刷を行うプルプリント技術に関する。
【背景技術】
【０００２】
印刷ジョブを生成し、サーバー等に溜め置き、プリンターからの印刷要求に応じて印刷ジョブを転送する、というプルプリントシステムがある。本システムでは、印刷可能なプリンターが複数台あり、且つホストコンピューター上で印刷を指示する際にはプリンターが決まっていない。よって通常は以下の制限がある。
【０００３】
（１）出力対象プリンターのモデルや機能を揃え、自由な印刷設定を可能とする。
【０００４】
（２）どこでも出力できるように印刷設定は共通機能のみに絞る
（３）印刷設定は自由にできるが、プリンター非サポート機能が含まれていたら印刷を中止する。または強制印刷を行う。
【０００５】
特許文献１では、プルプリントを行う際にプリントサーバーより構成情報を取得し、ジョブの設定情報と構成情報とを比較して印刷可能か判定し、印刷不可能なジョブは印刷を中止する。また印刷不可能通知をホストＰＣ上にメッセージ表示するかプリンターに印刷するかをユーザーが設定できる機能を提供している。
【先行技術文献】
【特許文献】
【０００６】
【特許文献１】特開２００８−０９７２２６号公報
【発明の概要】
【発明が解決しようとする課題】
【０００７】
しかし、ホスト上のメッセージに関しては、プリンターでカードをかざした時にはわからないという問題があった。また理由印刷に関しては、ホスト作業時はプリンターが確定していないため一律印刷するかしないかを決めることになるが、理由表示可能なパネルを持つプリンターにまで印刷するのは紙の無駄となる、という問題があった。
【課題を解決するための手段】
【０００８】
ネットワーク上に複数の通信可能なプリンターが接続されているプルプリントシステムにおいて、
アプリケーションから印刷した印刷ジョブを、ユーザーＩＤと印刷設定を紐付けて溜め置きする印刷ジョブ保存手段（Ｓ６１３）と、
プリンターからの印刷要求に応じて前記溜め置きされた印刷ジョブの中から前記ユーザーＩＤに合致するジョブとその印刷設定を取り出す印刷ジョブ取出手段（Ｓ６２４）と、
出力プリンター確定後にその構成情報を取得し、ジョブ毎に設定された印刷設定と比較し、印刷可能であるかを判断する印刷可否判断手段（Ｓ６２６）と、
前記印刷可否判断手段にて印刷可能と判断された場合に、前記出力プリンターに出力する印刷ジョブ出力手段（Ｓ６３２）と、
前記印刷可否判断手段にて印刷不可と判断された場合に、前記プリンターの構成情報から表示パネルの有無を判断するパネル有無判断手段（Ｓ６４３）と、
前記パネル有無判断手段にてパネル無しと判断した場合に、印刷できなかった理由を示すジョブを作成し、前記出力プリンターに出力する理由ジョブ出力手段（Ｓ６４４、Ｓ６４５）と、
を持つことを特徴とするプルプリントシステム。
【発明の効果】
【０００９】
本発明によれば、プリンター確定後にプリンターに応じた印刷不可理由の提示を行うことができる。すなわち、印刷不可ジョブ一覧とその理由をパネル表示できないプリンターにおいてのみ印刷で通知することで、余計な紙の浪費を抑えることができる。
【００１０】
またプリンターパネルの有無がプリンター構成情報から直接取得できなくても、他の構成情報から判断することができる。
【図面の簡単な説明】
【００１１】
【図１】実施形態における印刷システムの構成
【図２】一般的な印刷システムの内部の構成
【図３】実施形態における印刷システムの印刷処理に係わるハードウェア並びにソフトウェア構成
【図４】プリンタードライバーの機能構成
【図５】実施例１のＵＩ画面例
【図６】実施例１のプリンタードライバーの処理フロー
【図７】実施例１のパネル有無判断の処理フロー
【図８】実施例２のパネル有無判断の処理フロー
【図９】ジョブ管理テーブルの例
【図１０】実施例１の実動作を示す例
【図１１】理由ジョブの例
【発明を実施するための形態】
【００１２】
以下、図面を参照して本発明の好適な実施形態について詳細に説明する。
【００１３】
［実施例１］
本発明に係る情報処理装置の一実施形態としてのコンピューターについて説明する。なお、特に断りの無い限り、本発明の機能が実行されるのであれば、単体の機器であっても、複数の機器からなるシステムであっても、本発明を適用できることは言うまでもない。また、特に断りの無いない限り、本発明の機能が実行されるのであれば、ＬＡＮ、ＷＡＮ等のネットワークを介して接続が為され処理が行われるシステムであっても本発明を適用できることは言うまでもない。
【００１４】
図１は、本実施形態におけるプルプリントシステムの全体構成の一例を示したものである。実施形態のシステムには、プリンター２０００を含む１台以上の利用可能なプリンターが接続されているものとする。図１ではさらに、プリントサーバー３００、プリンターＡ２００１、プリンターＢ２００２、クライアントＰＣ５００が接続されている。
【００１５】
アプリケーションはクライアントＰＣ、サーバー、クラウド上のいずれにあっても良い。アプリケーションから印刷したジョブは、クライアントＰＣ５００、またはプリントサーバー３００などに一時溜め置きされる。プリンターにはカードリーダーが装備され、ユーザーからの個人認証を受け付けられるようになっている。プリンターはユーザー認証が行われると、保存されている印刷ジョブを送信するよう、クライアントＰＣ５００やプリントサーバー３００に印刷要求を行う。
【００１６】
本発明では、図１でも特にクライアントＰＣ５００、プリンター２０００、そしてプリントサーバー３００の構成で説明する。また、プリントサーバー３００にアプリケーションとプリンタードライバーがインストールされているものとする。
【００１７】
図２は、一般的な印刷システムの構成を示すブロック図である。
【００１８】
ホストコンピューター１０００は、ＲＯＭ３のプログラム用ＲＯＭあるいは外部メモリ１１に記憶された文書処理プログラム等に基づいて文書や画像の処理を行うＣＰＵ１を備え、システムバス４に接続される各デバイスをＣＰＵ１が総括的に制御する。
【００１９】
このＲＯＭ３のプログラム用ＲＯＭあるいは外部メモリ１１には、ＣＰＵ１の制御プログラムであるオペレーティングシステム（以下ＯＳ）等を記憶する。またＲＯＭ３のフォント用ＲＯＭあるいは外部メモリ１１には上記文書処理の際に使用するフォントデータ等を記憶し、ＲＯＭ３のデータ用ＲＯＭあるいは外部メモリ１１には上記文書処理等を行う際に使用する各種データを記憶する。ＲＡＭ２は、ＣＰＵ１の主メモリ、ワークエリア等として機能する。
【００２０】
キーボードコントローラ（ＫＢＣ）５は、キーボード９や不図示のポインティングデバイスからのキー入力を制御する。ＣＲＴコントローラ（ＣＲＴＣ）６は、ＣＲＴディスプレイ（ＣＲＴ）１０の表示を制御する。７はディスクコントローラ（ＤＫＣ）で、ブートプログラム、各種のアプリケーション、フォントデータ、プリンタードライバー等を記憶する外部メモリ１１とのアクセスを制御する。外部メモリ１１には、ハードディスク（ＨＤＤ）、フロッピー（登録商標）ディスク（ＦＤ）等がある。プリンターコントローラ（ＰＲＴＣ）８は、双方向性インターフェース（インターフェース）３０を介してプリンター２０００に接続されて、プリンター２０００との通信制御処理を実行する。
【００２１】
なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウインドウを開き、種々のデータ処理を実行する。ユーザーは印刷を実行する際、印刷の設定に関するウインドウを開き、プリンターの設定や、印刷モードの選択を含むプリンタードライバーに対する印刷処理方法の設定を行える。
【００２２】
プリンター２０００は、ＣＰＵ１２により制御される。プリンターＣＰＵ１２は、ＲＯＭ１３のプログラム用ＲＯＭに記憶された制御プログラム等、あるいは外部メモリ１４に記憶された制御プログラム等に基づいて動作する。ＣＰＵ１２は、システムバス１５を介して印刷部Ｉ／Ｆ１６に接続される印刷部（プリンターエンジン）１７に出力情報としての画像信号を出力する。また、このＲＯＭ１３のプログラムＲＯＭには、ＣＰＵ１２の制御プログラム等を記憶する。ＲＯＭ１３のフォント用ＲＯＭには上記出力情報を生成する際に使用するフォントデータ等が記憶される。ＲＯＭ１３のデータ用ＲＯＭには、ハードディスク等の外部メモリ１４がないプリンターの場合には、ホストコンピューター上で利用される情報等が記憶されている。
【００２３】
ＣＰＵ１２は入力部１８を介してホストコンピューターとの通信処理が可能となっており、プリンター内の情報等をホストコンピューター１０００に通知できる。ＲＡＭ１９は、ＣＰＵ１２の主メモリや、ワークエリア等として機能するＲＡＭで、図示しない増設ポートに接続されるオプションＲＡＭによりメモリ容量を拡張することができるように構成されている。なお、ＲＡＭ１９は、出力情報展開領域、環境データ格納領域、ＮＶＲＡＭ等に用いられる。前述したハードディスク（ＨＤＤ）、ＩＣカード等の外部メモリ１４は、メモリコントローラ（ＭＣ）２０によりアクセスを制御される。外部メモリ１４は、オプションとして接続され、フォントデータ、エミュレーションプログラム、フォームデータ等を記憶する。また、入力部１８は前述した操作パネルで操作のためのスイッチおよびＬＥＤ表示器等が配されている。
【００２４】
また、前述した外部メモリ１４は１個に限らず、複数個備えられ、内蔵フォントに加えてオプションカード、言語系の異なるプリンター制御言語を解釈するプログラムを格納した外部メモリを複数接続できるように構成されていてもよい。更に、図示しないＮＶＲＡＭを有し、操作パネルなどの操作部２１からのプリンターモード設定情報を記憶するようにしてもよい。
【００２５】
図３は、実施形態における印刷システムの印刷処理に係わるハードウェア並びにソフトウェア構成を示す図である。前記図２にて記載した一般的な印刷システムを基本として本実施形態の特徴となる部分を説明する。すなわち、以降プリントサーバー３００はホストコンピューター１０００の構成を前提として記載する。またクライアントＰＣ５００のハード構成に関してもホストコンピューター１０００の構成を前提とする。
【００２６】
クライアントＰＣ５００は、ネットワーク経由やＷｅｂサービスを通して、プリントサーバー３００のアプリケーション３１０を利用する。
【００２７】
プリントサーバー３００には、アプリケーション３１０、プリンタードライバー３２０がインストールされている。プリンタードライバー３２０は、図４に示す通り、印刷設定機能３２１、印刷ジョブ作成機能３２２、プルプリント要求受け付け機能３２３、理由ジョブ作成機能３２４の各機能で構成される。またプリンタードライバー３２０は印刷ジョブを溜置きするメモリ３２７を内蔵し、プリンター２０００からのプルプリント指示で出力するまで印刷ジョブを保持しておく。
【００２８】
プリンター２０００にはユーザー認証機能があり、ユーザーがＩＤカードをかざしたりログインしたりするとユーザーを特定する。そして保存ジョブを印刷するよう、プリントサーバー３００のプリンタードライバー３２０へ印刷要求を発行する。プリンタードライバーは溜め置きしてある印刷ジョブの中から該当ユーザーのものを取り出し、印刷要求のあったプリンターへ印刷ジョブを送信する。
【００２９】
アプリケーション３１０、およびプリンタードライバー３２０は外部メモリ１１に保存され、ＯＳやそのプログラムを利用する別のプログラムからの指示によってＲＡＭ２にロードされ、ＣＰＵ１によって実行されるプログラムモジュールである。
【００３０】
図６はプリンタードライバー３２０の動作の詳細を示したフローチャートである。
【００３１】
まずアプリケーション３１０から印刷設定要求を受け取ると（Ｓ６０1）、印刷設定機能３２１が図５に例示するようなＵＩ画面を表示し、ユーザーの入力を受け付ける（Ｓ６０２）。ユーザーが行った印刷設定は、システムの動作仕様に則ってアプリケーションに送信される（Ｓ６０３）。
【００３２】
次にアプリケーション３１０から印刷要求を受け取ると（Ｓ６１１）、さらにアプリケーションおよび／またはＯＳからユーザーＩＤと印刷設定を受け取る（Ｓ６１２）。印刷ジョブ作成機能３２２は印刷ジョブを生成し、前述したユーザーＩＤと印刷設定を紐付けてメモリ３２７にいったんスプールし（Ｓ６１３）、図９に例示するジョブ管理テーブルに情報を追加する（Ｓ６１４）。図９は、各ジョブ名に対してユーザーＩＤと印刷設定が紐付いていることを示している。ジョブ管理テーブルは複数のユーザーのジョブ情報を一括管理する。各ジョブにはそれぞれ異なる印刷設定が割り当てられていることがわかる。スプールされた印刷ジョブは、プリンターから印刷要求があるまでメモリ３２７に溜め置かれる。
【００３３】
プリンター２０００でユーザーが認証を行う（ＩＤカードをかざしたりログインしたりする）ことで、プリンター２０００からプリンタードライバー３２０にプルプリントの印刷要求が発行される。プリンタードライバー３２０はこのプリンター２０００からの印刷要求をプルプリント要求受け付け機能３２３で受け取る（Ｓ６２１）。さらにプリンター２０００からユーザーＩＤ、プリンターのＩＰアドレス、プリンターの構成情報（プリンター能力）を受け取る（Ｓ６２２）。取得したユーザーＩＤを用い、ジョブ管理テーブルの中に要求するユーザーのジョブがあるかチェックし（Ｓ６２３）、あれば１件選択し、その印刷設定を読み出す（Ｓ６２４）。その印刷設定の中からプリンター依存のある項目をピックアップし（Ｓ６２５）、Ｓ６２２で取得したプリンター構成情報と比較して利用可能か確認する。すべての印刷設定項目の設定がこのプリンターで利用可能だと判断されると（Ｓ６２６）、この印刷ジョブは印刷可能だと判断される（Ｓ６３１）。印刷ジョブはＳ６２２で取得したプリンターＩＰアドレス宛に送信される（Ｓ６３２）。これでこのジョブに対する処理が終わり、ジョブ管理テーブルから該当ジョブを削除する（Ｓ６３３）。
【００３４】
Ｓ６２６の判断にてひとつでも利用できない機能が設定されていた場合、この印刷ジョブは印刷不可と判断される（Ｓ６４１）。ここで利用できなかった項目、すなわち印刷できなかった理由を抽出する（Ｓ６４２）。次にプリンターに情報を表示するためのパネルがあるかないかを判断する（Ｓ６４３）。判断方法の詳細は後述する。ここでパネルなしと判断された場合は、Ｓ６４２で抽出された印刷不可理由を記した印刷ジョブ、すなわち理由ジョブを理由ジョブ作成機能３２４にて生成し（Ｓ６４４）、Ｓ６２２で取得したＩＰアドレスに送信する。Ｓ６４３でパネル有りと判断された場合、Ｓ６４２で抽出された印刷不可理由をパネルに表示するためのコマンドを生成し（Ｓ６４６）、Ｓ６２２で取得したＩＰアドレスに送信する。Ｓ６３３、Ｓ６４５、Ｓ６４７にてひとつのジョブに対する一連の処理が終わるので、Ｓ６２３に戻って同ユーザーの残りのジョブがなくなるまで同様の処理を行う。
【００３５】
Ｓ６２１の判定でＮｏの場合はさらにその他の要求を受け付けるが、本実施例では何もないためＡを経て処理を終了する。
【００３６】
次に図７のフローチャートを用いてＳ６４３のパネル有無判断の詳細を説明する。これは図５のＵＩ例に示すように、プリンターにパネルが存在するかどうかの判断基準をＵＩ上で設定できる方式を想定している。一般に、高機能プリンターには表示パネルが存在し、低機能プリンターには表示パネルが無いもしくは貧弱である場合が多い。そこで、パネルが搭載されているとみなすプリンターの条件をここで設定する。図５で例示している機能は、ステイプル、ＨＤＤ（ハードディスクドライブ）、両面機能、カラー印刷能力、の４項目であるが、実現においてはその限りではない。
【００３７】
以下、図７を用いて詳細を説明する。最初にプリンターの構成情報をチェックできるように取得しておく（Ｓ７０１）。まずＵＩ上のステイプル項目のチェックがＯＮであるか確認する（Ｓ７０２）。ＯＮであればプリンター構成情報からステイプルの能力をチェックし、利用可能であれば次のＨＤＤのチェックに進む。Ｓ７０２でＯＦＦだった場合もＨＤＤのチェックに進む。
【００３８】
同様にＳ７０４でＮｏ、すなわちＨＤＤの有無を確認対象にしない場合、またはＳ７０５でＹｅｓ、すなわちＨＤＤ有無をチェックしかつプリンターがＨＤＤを装備している場合、次の両面機能の確認を行う。同様にＳ７０６でＮｏ、すなわち両面機能を確認対象にしない場合、またはＳ７０７でＹｅｓ、すなわち両面機能をチェックしかつプリンターが両面機能をサポートしている場合、次のカラー印刷能力の確認を行う。最後にＳ７０８でＮｏ、すなわちカラー印刷能力を確認対象にしない場合、またはＳ７０９でＹｅｓ、すなわちカラー印刷能力をチェックしかつプリンターがカラー印刷をサポートしている場合、パネル有りと判断する（Ｓ７１１）。つまり、ユーザーがチェックすると設定した機能がすべてサポートされていればパネル有りと判断される。逆に、Ｓ７０３、Ｓ７０５、Ｓ７０７、Ｓ７０９でひとつでもＮｏがあれば、すなわちチェックした結果プリンター非サポートの機能があった場合は、低機能プリンター、すなわちパネルの無いプリンターと判断する（Ｓ７１０）。
【００３９】
図１０は、図６及び図７で示したフローによって処理される具体的な例である。
【００４０】
クライアントＰＣ５００上では図１０の上の表のように設定したものとする。なおアプリケーションで作成されたデータの用紙サイズはＡ３とし、このユーザーがスプールしているジョブはこの１件とする。
【００４１】
本ユーザーが図の右下のカラーＬＢＰから印刷しようとした場合、Ｓ６２２では、本ユーザーＩＤ、本カラーＬＢＰのＩＰアドレス、本カラーＬＢＰの構成情報（表に図示）を受信する。
【００４２】
Ｓ６２６では「出力用紙サイズ」「カラーモード」「仕上げ」「ステイプル」の４項目がチェックされ、Ａ３印刷とステイプルができないためＮｏとなり、印刷は中止される。Ｓ６４２でもこの２つの理由が抽出される。
【００４３】
次にＳ６４３でプリンターのパネル有無を判断する。図５に示すように「ステイプル」と「ＨＤＤ」を判断対象とする。まずＳ７０２はＹｅｓ、Ｓ７０３はカラーＬＢＰの構成情報からＮｏとなるため、パネル無しと判断される（Ｓ７１０）。Ｓ６４３ではパネル無しと判断されるため、図１１に例示するような理由ジョブを作成し（Ｓ６４４）、印刷を行う（Ｓ６４５）。
【００４４】
本ユーザーが図の左下のモノクロ複合機から印刷しようとした場合、同様にＳ６２６ではカラー印刷ができないためＮｏとなる。
【００４５】
Ｓ６４３のプリンターパネル有無の判断では、ＵＩ設定と本モノクロ複合機のプリンター構成情報から以下のように判断される。Ｓ７０２はＹｅｓ、Ｓ７０３はＹｅｓ、Ｓ７０４はＹｅｓ、Ｓ７０５はＹｅｓ、Ｓ７０６はＮｏ、Ｓ７０８はＮｏ、よってパネル有りと判断される（Ｓ７１１）。この結果、「カラー印刷不可」という理由は、印刷ではなくパネル表示される（Ｓ６４６−Ｓ６４７）。
【００４６】
［実施例２］
実施例１ではパネル有無の判断を行う際に、ユーザーが設定した項目を評価対象としていたが、プリンタードライバー３２０まはた不図示のシステムが内部的に自動で行っても良い。この場合、図５の「パネル有無機のチェック項目：」及び関連チェックボックスがなくなり、ユーザーの利便性はあがる。
【００４７】
このときのＳ６４３の内部処理を、図８のフローチャートを用いて説明する。なお、本例では「ステイプル」と「ＨＤＤ」のパネルを持つプリンターレベルの判断基準とする。
【００４８】
最初にプリンターの構成情報をチェックできるように取得しておく（Ｓ８０１）。まずプリンター構成情報からステイプルの能力をチェックし（Ｓ８０２）、利用可能であれば同様にＨＤＤ装備の有無のチェックを行い（Ｓ８０３）、こちらもＹｅｓであればパネル有りと判断する（Ｓ８０５）。一方でも非サポートであればパネル無しと判断する（Ｓ８０４）。
【符号の説明】
【００４９】
３００    プリントサーバー
３１０    アプリケーション
３２０    プリンタードライバー
３２１    印刷設定機能
３２２    印刷ジョブ作成機能
３２３    プルプリント要求受け付け機能
３２４    理由ジョブ作成機能
３２７    印刷ジョブ溜置き用メモリ
５００    クライアントＰＣ
２０００  プリンター
【図１】
2013210860.tif 000003
【図２】
2013210860.tif 000004
【図３】
2013210860.tif 000005
【図４】
2013210860.tif 000006
【図５】
2013210860.tif 000007
【図６】
2013210860.tif 000008
【図７】
2013210860.tif 000009
【図８】
2013210860.tif 000010
【図９】
2013210860.tif 000011
【図１０】
2013210860.tif 000012
【図１１】
2013210860.tif 000013